(57)【要約】【課題】他物体とレンズ鏡筒との接触を防止する。【解決手段】本発明のカメラ（１，２１）は、光軸（Ａ）方向に繰出し可能なレンズ鏡筒（３）と、前記レンズ鏡筒（３）の先端部に設けられると共に、他物体との接触又は他物体への近接を検出する他物体検出部（１３）と、を備える。【選択図】図２
2008281956.tif 000002
【特許請求の範囲】
【請求項１】
光軸方向に繰出し可能なレンズ鏡筒と、
前記レンズ鏡筒の先端部に設けられると共に、他物体との接触又は他物体への近接を検出する他物体検出部と、
を備えるカメラ。
【請求項２】
請求項１に記載のカメラであって、
前記レンズ鏡筒の繰り出しを制御する鏡筒制御部を備え、
前記他物体検出部が他物体との接触又は他物体への近接を検出したとき、前記鏡筒制御部は前記レンズ鏡筒の繰り出し動作の制限又は退避を行うことを特徴とするカメラ。
【請求項３】
請求項１又は２に記載のカメラであって、
コンバータ又はアダプターリングが装着されたときに、該コンバータ又は該アダプターリングの装着を検出する装着状態検出部を更に備え、
前記装着状態検出部により前記コンバータ又は前記アダプターリングの装着が検出されている状態で前記レンズ鏡筒が繰り出し、前記他物体検出部が他物体との接触又は他物体への近接を検出したときに、前記レンズ鏡筒の繰り出し量から装着されているコンバータの種類を特定し、該コンバータの使用に適したコンバータモードに移行することを特徴とするカメラ。
【請求項４】
請求項３に記載のカメラであって、
カメラ本体における前記レンズ鏡筒が延びている部分の外周に、前記コンバータ又は前記アダプターリング用の取付部が設けられ、
前記装着状態検出部は、前記コンバータ又は前記アダプターリングが前記取付部に取り付けられたときに、前記コンバータ又は前記アダプターリングが前記装着状態検出部に接触又は近接することにより装着状態を検出することを特徴とするカメラ。
【請求項５】
繰出し可能なレンズ鏡筒であって、
先端部に他物体との接触又は他物体への近接を検出する他物体検出装置を備えることを特徴とするレンズ鏡筒。
【発明の詳細な説明】
【技術分野】
【０００１】
本発明は、カメラ及びレンズ鏡筒に関するものである。
【背景技術】
【０００２】
従来、レンズ鏡筒が繰り出して他物体と接触し、レンズ鏡筒に力が加わって一定時間レンズ鏡筒が駆動しない場合に、レンズ鏡筒の駆動を制御するカメラがある（例えば、特許文献１参照）。
【特許文献１】特開平７−２８１１３号公報
【発明の開示】
【発明が解決しようとする課題】
【０００３】
しかし、上記カメラは、レンズ鏡筒が他物体と接触した後の繰り出しを制御するものであり、他物体とレンズ鏡筒との接触自体を防止するものではない。
【０００４】
本発明の課題は、他物体とレンズ鏡筒との接触を防止することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、光軸（Ａ）方向に繰出し可能なレンズ鏡筒（３）と、前記レンズ鏡筒（３）の先端部に設けられると共に、他物体との接触又は他物体への近接を検出する他物体検出部（１３）と、を備えるカメラ（１，２１）である。
請求項２に記載の発明は、請求項１に記載のカメラ（１，２１）であって、前記レンズ鏡筒（３）の繰り出しを制御する鏡筒制御部（１９）を備え、前記他物体検出部（１３）が他物体との接触又は他物体への近接を検出したとき、前記鏡筒制御部（１９）は前記レンズ鏡筒（３）の繰り出し動作の制限又は退避を行うことを特徴とするカメラ（１，２１）である。
請求項３に記載の発明は、請求項１又は２に記載のカメラ（２１）であって、コンバータ（２７）又はアダプターリング（２８）が取り付けられたときに、該コンバータ（２７）又は該アダプターリング（２８）の装着を検出する装着状態検出部（２４）を更に備え、前記装着状態検出部（２４）により前記コンバータ（２７）又は前記アダプターリング（２８）の装着が検出されている状態で前記レンズ鏡筒（３）が繰り出し、前記他物体検出部（１３）が他物体との接触又は他物体への近接を検出したときに、前記レンズ鏡筒（３）の繰り出し量から装着されているコンバータ（２７）の種類を特定し、該コンバータ（２７）の使用に適したコンバータモードに移行することを特徴とするカメラ（２１）である。
請求項４に記載の発明は、請求項３に記載のカメラ（２１）であって、カメラ本体（２）における前記レンズ鏡筒（３）が延びている部分の外周に、前記コンバータ（２７）又は前記アダプターリング（２８）用の取付部（２２）が設けられ、前記装着状態検出部（２４）は、前記コンバータ（２７）又は前記アダプターリング（２８）が前記取付部（２２）に取り付けられたときに、前記コンバータ（２７）又は前記アダプターリング（２８）の端部が該装着状態検出部（２４）に接触又は近接することより前記コンバータ（２７）又は前記アダプターリング（２８）の装着を検出することを特徴とするカメラ（２１）である。
請求項５に記載の発明は、繰出し可能なレンズ鏡筒（３）であって、先端部に他物体との接触又は他物体への近接を検出する他物体検出装置を備えることを特徴とするレンズ鏡筒（３）である。
なお、符号を付して説明した構成は、適宜改良してもよく、また、少なくとも一部を他の構成物に代替してもよい。
【発明の効果】
【０００７】
本発明によれば、他物体とレンズ鏡筒との接触を防止することができる。
【発明を実施するための最良の形態】
【０００８】
（第１実施形態）
以下、図面等を参照して、本発明の第１実施形態について説明する。なお、以下に示す各図には、説明と理解を容易にするために、ｘｙｚ直交座標系を設けた。この座標系では、撮影者が通常の撮影位置でカメラを保持したときのカメラの位置（以下、正位置という）において撮影者から見て左側に向かう方向をｘプラス方向とする。また、正位置において上側に向かう方向をｙプラス方向とする。更に、正位置において被写体に向かう方向をｚプラス方向とする。
【０００９】
図１は本実施形態のカメラ１の概略斜視図である。図示するようにカメラ１は、例えば、レンズ非交換式のデジタルカメラ（以下、単に「カメラ」という）であり、非撮影時にカメラボディ２内に収納される沈胴式のレンズ鏡筒３を備える。
【００１０】
カメラ１のレンズ鏡筒３は、カメラボディ２に対して光軸Ａ方向に移動可能な第１の筒体５と、第１の筒体５の内径側に挿入され且つ第１の筒体５に対して光軸Ａ方向に移動可能な第２の筒体６と、第２の筒体６の内径側に挿入され、第２の筒体６と同様に光軸Ａ方向に移動可能で且つレンズ鏡筒３が繰り出した状態において最も対物側に配置される第３の筒体７と、を備える。また、第３の筒体７の先端は、レンズ９が内部に配置された開口部１０を有する端面１１に覆われている。
【００１１】
図２はカメラ１の概略側面図であり、先端を一部切り欠いて示してある。図示するように第３の筒体７の内部には、他物体検出スイッチ１３が設けられている。他物体検出スイッチ１３は、例えばリミットスイッチ等の接触式スイッチであって、本体１４と、その本体１４から突き出した可動ピン１５とを備える。可動ピン１５は、第３の筒体７の端面１１に設けられた孔１１ａから出没可能に設けられている。また、可動ピン１５はその前端が端面１１から被写体側に突出した状態となるように常時付勢されている。
【００１２】
図３はカメラ１のブロック図を示したものである。カメラ１は、内部にＣＰＵ１７を備え、上述の他物体検出スイッチ１３はＣＰＵ１７に接続されている。そして他物体検出スイッチ１３の可動ピン１５が他物体と接触して押圧されると、その本体１４より信号がＣＰＵ１７に送信される。またカメラ１は、カメラボディ２の背面に設けられた操作部１８と、レンズ鏡筒３を繰り出すための鏡筒制御部１９とを備える。
【００１３】
操作部１８は、撮影者がズーム動作等の各種操作を入力する部分である。例えば撮影者が操作部１８よりズーム操作を行うと、操作部１８からＣＰＵ１７を介して鏡筒制御部１９にズーム信号が送信され、レンズ鏡筒３のズーム操作が行われる。また、上述したように他物体検出スイッチ１３の可動ピン１５が他物体と接触すると、その信号はＣＰＵ１７に入力され、ＣＰＵ１７は鏡筒制御部１９にレンズ鏡筒３の動きの停止を指示し、レンズ鏡筒３は停止するようになっている。
【００１４】
次に、カメラ１の動作について説明する。まず、カメラ１の電源を入れるとレンズ鏡筒３が沈胴位置からワイド位置に移動する。この移動中にレンズ鏡筒３の端面１１に設けられた他物体検出スイッチ１３の可動ピン１５が他物体に接触すると、レンズ鏡筒３は停止する。また、撮影者が操作部１８を介してレンズ鏡筒３をワイド位置からズーム位置に移動する際にも、レンズ鏡筒３の端面１１に設けられた他物体検出スイッチ１３の可動ピン１５が他物体に接触すると、レンズ鏡筒３は停止する。
【００１５】
以上、第１実施形態によると、以下の効果を有する。
（１）撮影者がファインダを覗きながらズーム操作を行っている場合、撮影者の注意はファインダ内の画像に向いている。したがって、レンズ鏡筒３の前方における撮影画面から外れた位置に他物体が存在しても、撮影者が気付かない可能性がある。このとき、撮影者が更にズーム操作を行い、又は撮影者自身がカメラごと被写体に近づくと、他物体とレンズ鏡筒３とが衝突する可能性がある。しかし、第１実施形態によると、レンズ鏡筒３の端面１１に他物体検出スイッチ１３が設けられている。したがって、他物体検出スイッチ１３の可動ピン１５がレンズ鏡筒３の端面１１よりも先に他物体に接触する。その信号はＣＰＵ１７に送信されて、鏡筒制御部１９によりレンズ鏡筒３が停止する。ゆえに、レンズ鏡筒３がそれ以上繰り出すことがなく、レンズ鏡筒３と他物体とが直接接触することがない。
【００１６】
（２）カメラ１が非使用時において例えばケースに入れられていた場合に、何らかの拍子に電源が入ると、レンズ鏡筒３が沈胴状態から撮影状態へ延びてしまう。しかし、この場合も他物体検出スイッチ１３の可動ピン１５がカメラ１のレンズ鏡筒３の端面１１よりも先にケースに接触する。そうするとレンズ鏡筒３が停止するため、レンズ鏡筒３がそれ以上繰り出すことがなく、レンズ鏡筒３に過度の負荷がかかることがない。
【００１７】
（３）カメラ１を防水ハウジングに入れて水中においてカメラ１を使用することがある。このとき、レンズ鏡筒３が最大に繰り出した状態におけるカメラ１の光軸方向の長さよりも、防水ハウジング内部の光軸Ａ方向における長さが短い場合、レンズ鏡筒３を繰り出したときにレンズ鏡筒の端面１１がケースの内面に衝突してレンズ鏡筒３に負荷がかかる可能性がある。しかし、第１実施形態によると、他物体検出スイッチ１３の可動ピン１５がカメラ１のレンズ鏡筒３の端面１１よりも先にケースに接触すると他物体の検出信号はＣＰＵ１７に送られてレンズ鏡筒３が停止する。したがってレンズ鏡筒３がそれ以上繰り出すことがないため、レンズ鏡筒３に過度の負荷がかからない。
【００１８】
（４）カメラ１にコンバータを取り付ける場合、通常アダプターリングが使用される。そして、アダプターリングをカメラ１に取り付け、コンバータを更にそのアダプターリングに取り付けて、カメラ１の操作画面よりコンバータモードを選択する。そうすると、そのモードにあわせてレンズ鏡筒３がコンバータの使用に適した所定の位置に繰り出されるようになっている。
【００１９】
しかし、例えばコンバータモードを選択し忘れた場合、カメラ１はアダプターリング及びコンバータが装着されていることは認識していない状態である。したがって、カメラ１にアダプターリング及びコンバータが装着されていてもレンズ鏡筒３は最大に繰り出すことが可能である。このとき、アダプターリングがレンズ鏡筒３の最大繰り出したときの長さ以上に形成されていないと、レンズ鏡筒３が繰り出したときにレンズ鏡筒３とコンバータとが接触し、レンズ鏡筒に負荷がかかる可能性がある。このため、アダプターリングは、一般にレンズ鏡筒３が最大に繰り出したときにレンズ鏡筒３の先端がコンバータに当たらないように、レンズ鏡筒３が最大繰り出したときの長さ以上に形成されている。
【００２０】
このように、アダプターリングが長いと、カメラ及びそのアクセサリーのコンパクト化という要請に反する。また、特にワイドコンバータの場合、適切なレンズ鏡筒の繰り出し量は、一般に少ないにもかかわらず、アダプターリングが長いため、レンズとコンバータとの間隔があいてしまい、撮影画面の角にケラレが生じる可能性もある。
【００２１】
第１実施形態によると、レンズ鏡筒３が繰り出してコンバータと接触するとレンズ鏡筒３は停止する。したがってアダプターリングをレンズ鏡筒３が最大に繰り出したときの長さ以上にする必要はなく、アダプターリングは必要最小限の長さでよい。又はアダプターリングを取り付けずに必要な距離だけレンズ鏡筒３が繰り出すことができる部分を備えるコンバータを直接取り付けるようにしてもよい。このようにすれば、カメラのアクセサリーの小型化が可能となる。また撮影画面の角にケラレが生じる可能性もなくなる。
【００２２】
（変形形態）
（１）第１実施形態では、他物体検出スイッチ１３が他物体と接触すると、レンズ鏡筒３が停止するようにしたが、これに限定されない。例えば、レンズ鏡筒３が他物体に接触するとレンズ鏡筒３が引っ込むようにしてもよい。またレンズ鏡筒３が他物体に接触したときに、例えばカメラ１の操作画面（図示せず）にアラームを出すようにしてもよく、その場合、その後、レンズ鏡筒３を停止させるか、引っ込ませるか、あるいは繰り出しを継続するかを撮影者により選択できるようにしてもよい。
【００２３】
（２）第１実施形態では他物体検出スイッチ１３として接触式スイッチを用いたがこれに限定されない。例えば、光センサ、超音波センサ等の非接触式センサであってもよい。
【００２４】
（３）他物体検出スイッチ１３はレンズ鏡筒３の上部（ｙプラス側）に設けたがこれに限定されない。例えば、レンズ鏡筒３の端面１１の下部、又は側部に設けることもできる。
【００２５】
（４）第１実施形態では沈胴式のコンパクトカメラを例にして説明したが、これに限定されない。例えば、レンズ交換式のレンズ鏡筒の先端部に他物体検出スイッチ１３を設けてもよい。
【００２６】
（第２実施形態）
図４は本発明の第２実施形態を示したカメラ２１の一部切り欠き側面図であり、コンバータ２７が取り付けられた例を示したものである。図中、第１実施形態と同一の部分は第１実施形態と同一の符号を付し、その説明は省略する。図示するように、第２実施形態のカメラ２１におけるレンズ鏡筒３の基端部の外周にアダプターリング２８を取り付けるためのアダプターリング取付部２２が設けられている。アダプターリング取付部２２はレンズ鏡筒３を囲むようにしてカメラボディ２側から被写体側（ｚプラス側）に延びる筒状体であり、内周面にねじ２３が設けられている。
【００２７】
また、カメラボディ２におけるアダプターリング取付部２２の近傍には、アダプターリング検出スイッチ２４が設けられている。アダプターリング検出スイッチ２４は、他物体検出スイッチ１３と同様に、例えばリミットスイッチ等の接触式スイッチであって、本体２５と、その本体２５から突き出した可動ピン２６とを備える。可動ピン２６は、カメラボディ２の表面２ａにおけるアダプターリング取付部２２とレンズ鏡筒３との間に設けられた孔２９から出没可能に設けられている。また、可動ピン２６はその前端が表面２ａから被写体側に突出した状態となるように常時付勢されている。
【００２８】
アダプターリング２８は、レンズ鏡筒３の外径よりも内径が大きな筒体であって、カメラ２１に取り付ける際にカメラ２１側（ｚマイナス側）となる部分の外周に、ねじ３０が設けられている。アダプターリング２８をカメラ２１に取り付ける場合、アダプターリング取付部２２のねじ２３とアダプターリング２８のねじ３０とを螺合させるようになっている。
【００２９】
次に、第２実施形態において、コンバータ２７をカメラ２１に取り付ける動作について説明する。図５はアダプターリング２８をアダプターリング取付部２２に取り付ける際の動作を示した図である。また、図６は第２実施形態の動作を示したフローチャートである。
【００３０】
まず、カメラ２１の電源スイッチ（図示せず）を入れる（図６、Ｓ１）。次に、アダプターリング２８のねじ３０とアダプターリング取付部２２のねじ２３とを螺合させていく。図５（ａ）に示すようにアダプターリング２８がアダプターリング取付部２２に螺合されていない場合、アダプターリング検出スイッチ２４の可動ピン２６はカメラボディ２の表面２ａの孔２９から突出している。図５（ｂ）に示すように、アダプターリング２８をアダプターリング取付部２２に螺合させていくと、アダプターリング検出スイッチ２４の可動ピン２６が押圧される。そうすると、アダプターリング検出スイッチ２４がオン（図６、Ｓ２，ＯＮ）になり、その信号がＣＰＵ１７に送信され、アダプターリング２８が取り付けられたことがカメラ２１に認識される。
【００３１】
次に、アダプターリング２８にコンバータ２７を取り付け、レンズ鏡筒３を繰り出していく（図６、Ｓ３）。レンズ鏡筒３の先端の可動ピン２６が図４に示すようにコンバータ２７に当接すると、他物体検出スイッチ１３がオンになる（Ｓ４）。このときのレンズ鏡筒３の繰り出し位置が鏡筒制御部１９により検出される。この繰り出し位置の情報がＣＰＵ１７に伝達され、レンズ鏡筒の繰り出し量よりコンバータ２７の種類が認識される（Ｓ５）。その判断結果に基づき、カメラ２１はその認識された種類のコンバータモードに設定され（Ｓ６）、レンズ鏡筒３はそのコンバータ２７に最適な位置に調整される。
【００３２】
以上、第２実施形態によると、以下の効果を有する。
（１）アダプターリング２８をアダプターリング取付部２２に取り付けると、可動ピン２６が押圧されて自動的にアダプターリング２８（コンバータ２７）が取り付けられたことが検出される。そして、レンズ鏡筒が繰り出し、他物体検出スイッチ１３がコンバータ２７と当接すると、レンズ鏡筒３の繰り出し量よりコンバータ２７の種類が判別されて、カメラ２１がそのコンバータ２７に適したコンバータモードに設定される。したがって撮影者がコンバータモードを設定する必要がない。
（２）また、第１実施形態の効果において述べたが、レンズ鏡筒３が繰り出してコンバータ２７と接触するとレンズ鏡筒３は停止する。したがってアダプターリング２８は必要最小限の長さでよい。又はアダプターリング２８を取り付けずにコンバータ２７を直接取り付けるようにしてもよい。ゆえにカメラ２１のアクセサリーの小型化が可能となる。また撮影画面の角にケラレが生じる可能性もなくなる。
【図面の簡単な説明】
【００３３】
【図１】本発明の第１実施形態のカメラの概略斜視図である。
【図２】本発明の第１実施形態のカメラの概略側面図であり、先端を一部切り欠いて示した図である。
【図３】本発明の第１実施形態のカメラのブロック図である。
【図４】本発明の第２実施形態を示したカメラの一部切り欠き側面図である。
【図５】本発明の第２実施形態においてアダプターリングをアダプターリング取付部に取り付ける際の動作を示した図である。
【図６】本発明の第２実施形態の動作を示したフローチャートである。
【符号の説明】
【００３４】
１，２１：カメラ、３：レンズ鏡筒、１３：他物体検出部、１９：鏡筒制御部、２４：装着状態検出部、２７：コンバータ、２８：アダプターリング
【図１】
2008281956.tif 000003
【図２】
2008281956.tif 000004
【図３】
2008281956.tif 000005
【図４】
2008281956.tif 000006
【図５】
2008281956.tif 000007
【図６】
2008281956.tif 000008